【事件の表示】
　特願２００３−３５３６２１「撮像投影装置及び撮像投影システムと、表示画像生成装置、表示画像生成方法」拒絶査定不服審判事件〔平成１７年　５月１２日出願公開、特開２００５−１２３７０７〕について、次のとおり審決する。
【結　論】
　本件審判の請求は、成り立たない。
【理　由】
１．本願および本願発明
　本願は、平成１５年１０月１４日の出願であって、その特許請求の範囲に係る発明は、平成２１年８月７日付け手続き補正書により補正された特許請求の範囲の請求項１から請求項５までの各請求項に係る発明であるところ、これら発明のうち、請求項３に係る発明（以下これを本願発明という）は、請求項３の記載中「前記拡大表示手段により前記被写体画像の画像データの特定の領域に対応する画像データを縮小して、」の「前記拡大表示手段」は誤記であり、請求項３で「前記」される構成において「画像データを縮小」するのが「前記スクリーンに投影された表示画像の拡大要求に応じ、前記生成手段に、前記表示対象画像の画像データにおける要求された拡大倍率に対応する大きさの表示領域の画像データを縮小して生成させる拡大制御手段」であること、及び、明細書の主旨から、正しくは「前記拡大制御手段」であると認めて、次のとおりであると認める。
　
［本願発明（請求項３に係る発明）］
　スクリーンに投影する表示画像の画像データであって、画像変換手段により投影光に変換される画像データを生成する表示画像生成装置において、
　入力した表示対象画像の画像データに基づき、前記画像変換手段が有する解像度に応じた画像データを生成する生成手段と、
　前記スクリーンに投影された表示画像の拡大要求に応じ、前記生成手段に、前記表示対象画像の画像データにおける要求された拡大倍率に対応する大きさの表示領域の画像データを縮小して生成させる拡大制御手段とを備え、
　前記生成手段により前記被写体画像の画像データを縮小して表示領域の解像度に合わせた後、前記表示画像の一部である特定の領域を拡大表示する際、前記拡大制御手段により前記被写体画像の画像データの特定の領域に対応する画像データを縮小して、表示領域の解像度に合わせて特定の領域を拡大表示することを特徴とする表示画像生成装置。
　
２．引用例
　原査定の拒絶理由に引用された特開２００１−２２３９３４公報（平成１３年８月１７日公開、以下「引用例」という）には、図面と共に次の記載がある。
　
〈引用例の記載〉
「【０００１】
【発明の属する技術分野】本発明は、資料などの被写体を撮像して映像信号を出力する画像入力装置に関する。
【０００２】
【従来の技術】たとえば、特開平７−７４９９１号公報に開示されるように、印刷物や立体物などの被写体をステージ上に載置して、ステージの上方に設けられた撮像ヘッドにより撮像した被写体像を表示手段に表示する画像入力装置が知られている。このような画像入力装置において、被写体の拡大像を映像信号として出力するためには、（１）撮像ヘッドを被写体に近づけて撮像する方法と、（２）撮像ヘッドに備えられる撮影レンズにズームレンズを使用する方法が用いられる。
【０００３】
【発明が解決しようとする課題】しかしながら、いずれの場合も表示手段に表示された被写体の拡大像を見ながら被写体の拡大範囲および拡大倍率を調節するので、装置の操作性および拡大倍率の再現性がよくないという問題がある。」
　
「【０００４】本発明の目的は、被写体の拡大範囲をあらかじめ設定可能にした画像入力装置を提供することにある。
【０００５】
【課題を解決するための手段】本発明の一実施の形態を示す図１、図２に対応づけて本発明を説明する。
（１）請求項１の発明は、被写体１１を撮像して画像データを出力する撮像手段２と、撮像手段２から出力された画像データを画像処理して表示用の映像信号を出力する画像処理手段４，５とを備える画像入力装置に適用される。そして、表示されている被写体１１の映像を拡大する拡大手段と、表示されている映像の拡大範囲を指定する拡大範囲指定手段７と、少なくとも指定された拡大範囲に基づいて拡大可能な倍率を算出し、この倍率により拡大手段を駆動して映像を拡大する拡大制御手段８とを備えることにより、上述した目的を達成する。
（２）請求項２の発明は、請求項１に記載の画像入力装置において、拡大手段は、撮像手段２による撮像倍率を光学的に拡大するズームレンズ１と、画像データを電子的に拡大する画像拡大手段４，５とから構成されることを特徴とする。」
　
「【０００７】
【発明の実施の形態】以下、図面を参照して本発明の実施の形態を説明する。図１（ａ）は、本発明の一実施の形態による画像入力装置を示す図であり、図１（ｂ）はズームレンズ駆動スイッチ９８の拡大図である。また、図２は画像入力装置のブロック図である。この画像入力装置は、ドキュメント資料や書籍などの被写体１１を載置するためのステージ１０と、ステージ１０に対して回動可能に設けられた支柱１４と、支柱１４の先端に設けられ、被写体１１をズームレンズ１を通して撮像する撮像ヘッド１３と、被写体１１を照明する照明装置１５とで構成される。画像入力装置と表示装置１００とは、接続ケーブル９９によって接続されている。撮像ヘッド１３で撮像されて、所定の画像処理が行われた被写体像は、接続ケーブル９９によって大型ビデオモニターなどの表示装置１００に表示される。」
　
「【００３８】−映像信号によるズーム処理−
これまでの説明では、拡大動作がズームレンズ１により行われるようにしたが、映像信号を処理して映像を電子的に拡大動作を行うこともできる。ＣＣＤ２で撮像された電子的な画像データに対するズーム処理（以降、電子ズ−ム処理）は、いわゆる、解像度変換処理により行われる。ＣＣＤ２の画素数を表示装置１００の表示解像度に比べて十分大きくすれば、電子ズーム処理が可能である。この場合は、電子ズーム処理による拡大が行われる前において、ＣＣＤ２で撮像されてメモリ４に格納されている画素データの数が表示装置１００の表示解像度より多いので、全ての画素データを表示装置１００に表示することができない。そこで、たとえば、画面の横方向の画素数が表示装置１００の横方向の表示解像度の１６倍であれば、画素データの１６個に１個の割合で表示するように間引きすることにより、ＣＣＤ２の横方向の撮像画面全域の画像を表示装置１００に表示することが可能になる。この表示形態を通常表示とする。
【００３９】上述した装置において、通常表示時にＣＰＵ８が制御回路５を駆動してメモリ４に出力させる読み込み信号ＲＤは、メモリ４のデータが１６個に１個の割合で読み出されるように制御される。たとえば、１つのメモリアドレスに１画素分の画素データが格納されている場合には、メモリ４に設定されるアドレスが１番地ずつ順に進められるとき、１６アドレスに１回の割合で読み込み信号ＲＤが出力される。このように制御されることにより、画素データが１６個に１個の割合で読み込まれて表示装置１００に間引き表示される。
【００４０】ズームレンズ駆動スイッチ９８がテレ（ＴＥＬＥ）側に操作されることにより電子ズーム倍率が変更されると、ＣＰＵ８は制御回路５から出力されるメモリ４の書き込み信号ＷＲの出力を止め、新たにＡ／Ｄ変換回路３から出力される画素データがメモリ４に書き込まれることを停止させる。そして、たとえば、設定された電子ズームの倍率が２倍であれば、表示画面７０の中心点Ｄの画素データが格納されているアドレスを中心として、メモリ４の読み込み範囲を通常表示時より狭くした上で、画素データが８個に１個の割合で読み出されるように、ＣＰＵ８が制御回路５を駆動してメモリ４に出力される読み込み信号ＲＤを制御する。上述したように１つのメモリアドレスに１画素分の画素データが格納されている場合で、メモリ４に設定されるアドレスが１番地ずつ順に進められるとき、８アドレスに１回の割合でデータが読み込まれるように読み込み信号ＲＤが出力される。このように制御されることにより、画素データが８個に１個の割合で読み込まれて表示装置１００に間引き表示されるので、１６個に１個の割合で表示していた場合に比べて２倍に拡大された表示になる。」
　
「【００４２】なお、電子ズーム処理が行われる場合は、矩形領域８０の中心点Ｃに表示される画素データが、電子ズーム処理が行われる前後で一定となるように、メモリアドレスの設定が制御される。メモリ４のアドレスは、矩形領域８０の中心点Ｃの画素データが格納されているアドレスを中心として、その前後のアドレスの設定範囲が電子ズームの倍率に応じて変化する。すなわち、通常表示の場合と比較して、表示画面７０の横方向のみを２倍に拡大表示する場合はメモリ４内の画素データの読み込み範囲が１／２になる。表示装置１００の表示解像度は一定であるので、拡大した倍率に反比例してメモリ４内の読み込み範囲が狭くなる。」
〈引用例の記載、以上〉
　
　上記引用例の記載によると、引用例には、画像入力装置に関する技術が記載されている。
　引用例記載の上記画像入力装置は、
「資料などの被写体を撮像して映像信号を出力する」（【０００１】）
もので、
「被写体１１を撮像して画像データを出力する撮像手段２と、撮像手段２から出力された画像データを画像処理して表示用の映像信号を出力する画像処理手段４，５とを備え（る）」「そして、表示されている被写体１１の映像を拡大する拡大手段と、表示されている映像の拡大範囲を指定する拡大範囲指定手段７と、少なくとも指定された拡大範囲に基づいて拡大可能な倍率を算出し、この倍率により拡大手段を駆動して映像を拡大する拡大制御手段８とを備え（る）」〔【０００５】（１）〕、
「拡大手段は、撮像手段２に依る撮像倍率を光学的に拡大するズームレンズ１と、画像データを電子的に拡大する画像拡大手段４，５とから構成され（る）」〔【０００５】（２）〕、
「被写体像は接続ケーブル９９によって大型ビデオモニタなどの表示装置１００に表示される。」（【０００７】）
ようにしたものである。
　また、上記画像データを電子的に拡大する画像拡大手段４，５（実体的には図２のメモリ４と制御回路５）と拡大制御手段８（実体的には図２のＣＰＵ８）による映像の拡大動作（ズーム処理）については、
「ＣＣＤ２で撮像された電子的な画像データに対するズーム処理（以降、電子ズ−ム処理）は、いわゆる、解像度変換処理により行われる。ＣＣＤ２の画素数を表示装置１００の表示解像度に比べて十分大きくすれば、電子ズーム処理が可能である。この場合は、電子ズーム処理による拡大が行われる前において、ＣＣＤ２で撮像されてメモリ４に格納されている画素データの数が表示装置１００の表示解像度より多いので、全ての画素データを表示装置１００に表示することができない。そこで、たとえば、画面の横方向の画素数が表示装置１００の横方向の表示解像度の１６倍であれば、画素データの１６個に１個の割合で表示するように間引きすることにより、ＣＣＤ２の横方向の撮像画面全域の画像を表示装置１００に表示することが可能になる。この表示形態を通常表示とする。」（【００３８】）
「ズームレンズ駆動スイッチ９８がテレ（ＴＥＬＥ）側に操作されることにより電子ズーム倍率が変更されると、ＣＰＵ８は制御回路５から出力されるメモリ４の書き込み信号ＷＲの出力を止め、新たにＡ／Ｄ変換回路３から出力される画素データがメモリ４に書き込まれることを停止させる。そして、たとえば、設定された電子ズームの倍率が２倍であれば、表示画面７０の中心点Ｄの画素データが格納されているアドレスを中心として、メモリ４の読み込み範囲を通常表示時より狭くした上で、画素データが８個に１個の割合で読み出されるように、ＣＰＵ８が制御回路５を駆動してメモリ４に出力される読み込み信号ＲＤを制御する。」「このように制御されることにより、画素データが８個に１個の割合で読み込まれて表示装置１００に間引き表示されるので、１６個に１個の割合で表示していた場合に比べて２倍に拡大された表示になる。」（【００４０】）
「メモリ４のアドレスは、矩形領域８０の中心点Ｃの画素データが格納されているアドレスを中心として、その前後のアドレスの設定範囲が電子ズームの倍率に応じて変化する。」「表示装置１００の表示解像度は一定であるので、拡大した倍率に反比例してメモリ４内の読み込み範囲が狭くなる。」（【００４２】）
ようにしたものである。
　
３．対比、一致点および相違点
（１）対比
　上記引用例に記載された技術は、本願発明と対比すべき発明として把握できるものであるので、以下、これを引用例記載の発明とし、本願発明を当該引用例記載の発明（以下「引用発明」ともいう）と対比する。
　
　ア．「表示画像生成装置」（発明の対象装置）について
　本願発明の「表示画像生成装置」は、「スクリーンに投影する表示画像の画像データであって、画像変換手段により投影光に変換される画像データを生成する」ものである。
　これに対し、引用発明の「画像入力装置」は、「資料などの被写体を撮像して映像信号を出力する」（【０００１】）ものであるが、この出力映像（被写体像）につき、引用発明では、「被写体像は接続ケーブル９９によって大型ビデオモニタなどの表示装置１００に表示される。」（【０００７】）ようにしているのであるから、引用発明の「画像入力装置」は、上記表示装置１００で表示する表示画像の画像データを生成する表示画像生成装置ともいえるものである。
　もっとも、本願発明では、上記表示画像は「スクリーンに投影する」ものであり、また表示画像の画像データは、画像変換手段により「投影光」に変換されるものであるから、本願発明の表示装置は、いわゆる投影型の表示装置（明細書の記載でいう「プロジェクタ」）であって、これに伴い上記画像データは上記画像変換手段で「投影光」に変換されるものであるところ、引用発明では、上記表示装置１００は「大型ビデオモニタなどの」表示装置であって、特に上記投影型の表示装置ではなく、画像データは「投影光に変換される」ものではない。
　以上によると、本願発明と引用発明とは、いずれも「表示装置で表示する表示画像の画像データを生成する表示画像生成装置」である点で一致し、上記表示装置が、本願発明では投影型の表示装置である（これに伴い本願発明の画像データは「画像変換手段により投影光に変換される」ものであり、本願発明は画像データを投影光に変換する画像変換手段を有する。）のに対し、引用発明では大型ビデオモニタなどの表示装置であって、特に投影型の表示装置ではない（これに伴い引用発明の画像データは「画像変換手段により投影光に変換される」ものでなく、画像データを投影光に変換する画像変換手段を有しない。）点で相違する。
　
　イ．「画像データを生成する生成手段」について
　本願発明の「画像データを生成する生成手段」は、「入力した表示対象画像の画像データに基づき、前記画像変換手段が有する解像度に応じた画像データを生成する」ものであり、上記ア．の対比によれば、「前記画像変換手段が有する解像度」は、表示装置が有する解像度といえる。
　これに対し、引用発明は、画像拡大手段４，５としての画像処理手段４，５での画像データの電子ズーム処理について、
「電子ズーム処理による拡大が行われる前において、ＣＣＤ２で撮像されてメモリ４に格納されている画素データの数が表示装置１００の表示解像度より多いので、全ての画素データを表示装置１００に表示することができない。そこで、たとえば、画面の横方向の画素数が表示装置１００の横方向の表示解像度の１６倍であれば、画素データの１６個に１個の割合で表示するように間引きすることにより、ＣＣＤ２の横方向の撮像画面全域の画像を表示装置１００に表示することが可能になる。この表示形態を通常表示とする。」（【００３８】）
としているところ、このような拡大前の通常表示を行う際の電子ズーム処理は、要するに、上記のように撮像されてメモリ４に格納されている画素データ、すなわち上記表示装置１００で表示しようとする表示画像（表示対象画像）の画素データの数が表示装置１００の表示解像度（表示可能画素数）よりも多いことを前提に、当該画素データの数が表示装置１００の表示解像度に合った数となるよう、上記画素データを均等に間引いた（１６個に１個の割合いでメモリ４から読み出した）というものであって、このような間引き処理は、“上記表示対象画像の画像データに基づいて上記表示装置１００の解像度に応じた画像データを生成した”ともいえるものである。よって、本願発明も引用発明も「入力した表示対象画像の画像データに基づき、表示手段が有する解像度に応じた画像データを生成する生成手段」を有しているといえる。
　もっとも、上記ア．で述べた相違のため、生成する画像データが応じる解像度である「表示手段が有する解像度」が、本願発明では「前記画像変換手段が有する解像度」であることに対して、引用発明では「表示装置１００の解像度」である点で相違する。
　
　ウ．「拡大制御手段」について
　本願発明の拡大制御手段は、「前記スクリーンに投影された表示画像の拡大要求に応じ、前記生成手段に、前記表示対象画像の画像データにおける要求された拡大倍率に対応する大きさの表示領域の画像データを縮小して生成させる」ものである。
　これに対し、引用発明も「拡大手段を駆動して映像を拡大する拡大制御手段８」〔【０００５】（１）〕を備えており、上記拡大手段が上記電子ズーム処理を行う画像拡大手段４，５（実体的には図２のメモリ４と制御回路５）である場合の上記拡大制御手段８（実体的には図２のＣＰＵ８）による拡大制御動作について、引用発明は、
「ズームレンズ駆動スイッチ９８がテレ（ＴＥＬＥ）側に操作されることにより電子ズーム倍率が変更されると、」「たとえば、設定された電子ズームの倍率が２倍であれば、表示画面７０の中心点Ｄの画素データが格納されているアドレスを中心として、メモリ４の読み込み範囲を通常表示時より狭くした上で、画素データが８個に１個の割合で読み出されるように、ＣＰＵ８が制御回路５を駆動してメモリ４に出力される読み込み信号ＲＤを制御する。」「このように制御されることにより、画素データが８個に１個の割合で読み込まれて表示装置１００に間引き表示されるので、１６個に１個の割合で表示していた場合に比べて２倍に拡大された表示になる。」（【００４０】）
「メモリ４のアドレスは、矩形領域８０の中心点Ｃの画素データが格納されているアドレスを中心として、その前後のアドレスの設定範囲が電子ズームの倍率に応じて変化する。」「表示装置１００の表示解像度は一定であるので、拡大した倍率に反比例してメモリ４内の読み込み範囲が狭くなる。」（【００４２】）
のである。
　上記拡大制御動作は、上記イ．で述べた「拡大前の通常表示」を前提として、上記スイッチ９８のテレ（ＴＥＬＥ）側への操作により電子ズーム倍率が変更される、つまり表示画像の拡大要求がなされると、これに応じてＣＰＵ８（上記拡大制御手段８）がメモリ４とその制御回路５（上記画像拡大手段４，５、上記イ．で認定したとおり本願発明でいう上記「生成手段」）に表示画像の拡大に必要な画像データを生成させるものであることが明らかであり、そのために当該拡大制御動作では、メモリ４（上記イ．で述べた表示対象画像の画素データが格納されている）の読み込み範囲について、「メモリ４の読み込み範囲を通常表示時より狭く」し（【００４０】）、「拡大した倍率に反比例してメモリ４内の読み込み範囲が狭くなる」（【００４２】）ようにし、かつ、この読み込み範囲でのメモリ４からの画素データ（上記表示対象画像の画素データ）の読み出しとその表示について、「例えば設定された電子ズームの倍率が２倍であれば、」「画素データが８個に１個の割合で読み出されるように、ＣＰＵ８が制御回路５を駆動してメモリ４に出力される読み込み信号ＲＤを制御する。」「このように制御されることにより、画素データが８個に１個の割合で読み込まれて表示装置１００に間引き表示されるので、１６個に１個の割合で表示していた場合に比べて２倍に拡大された表示になる。」（【００４０】）」ようにしており、上記画素データの８個に１個の割合での読み出し（間引き読み出し）は、メモリ４に格納されている上記表示対象画像の画像データを「縮小して」上記表示画像の拡大に必要な画像データを生成しているといえるものである。
　そうすると、引用発明での上記拡大制御手段８は、結局、本願発明での上記拡大制御手段と同様、「表示画像の拡大要求に応じ、前記生成手段に、前記表示対象画像の画像データにおける要求された拡大倍率に対応する大きさの表示領域の画像データを縮小して生成させる」ものといえる。
　もっとも、上記ア．で述べた相違のため、拡大要求される表示画像が、本願発明では、「前記スクリーンに投影された表示画像」であることに対して、引用発明では「表示装置１００で表示する表示画像」である点で相違する。
　
　エ．上記生成手段と拡大制御手段との総合作用の特定について
　この特定は、「前記生成手段により前記被写体画像の画像データを縮小して表示領域の解像度に合わせた後、前記表示画像の一部である特定の領域を拡大表示する際、前記拡大制御手段により前記被写体画像の画像データの特定の領域に対応する画像データを縮小して、表示領域の解像度に合わせて特定の領域を拡大表示する」というものである。
　然るに、引用発明での上記画像拡大手段４，５と拡大制御手段８（それぞれ上記生成手段と拡大制御手段に相当）の作用は、上記イ．ウ．で認定したように、画像の拡大前の通常表示では、上記画像拡大手段４，５により、メモリ４に格納されている表示対象画像の画素データの数が表示装置１００の表示解像度表に合った数となるよう、上記画素データを均等に間引いて（１６個に１個の割合でメモリ４から読み出して）表示し、表示画像の拡大要求がなされると、上記拡大制御手段８により、要求された拡大倍率に反比例して、上記表示対象画像の画像データのメモリ４からの読み込み範囲を狭くし、この狭くした読み込み範囲で上記画像データを縮小して（間引き読み出しして）表示するというものである。
　ここで、上記表示対象画像の画素データの数を表示装置１００（その表示領域）の表示解像度に合わせる上で、上記拡大前の通常表示では、当該画素データをメモリ４から１６個に１個の割合で、つまり１／１６に間引きして読み出して表示しているところ、上記拡大要求に応じた拡大表示では、上記ウ．で認定したように、例えば拡大倍率が２倍の場合、メモリ４からの上記画素データの読み込み範囲を拡大倍率に反比例して狭くする、つまり当該読み込み範囲を１／２にした上で、この１／２の読み込み範囲で上記画素データを８個に１個の割合で、つまり１／８に間引きして（縮小して）読み出して表示するというのであるから、結局、上記拡大表示においても、上記表示対象画像の画素データの数を１／２×１／８＝１／１６にして、つまり、上記通常表示の場合と同様に上記表示装置１００（その表示領域）の表示解像度に合わせるようにしているといえる。
　以上によると、引用発明でも、本願発明での上記特定と同じく、「前記生成手段により前記被写体画像の画像データを縮小して表示領域の解像度に合わせた後、前記表示画像の一部である特定の領域を拡大表示する際、前記拡大制御手段により前記被写体画像の画像データの特定の領域に対応する画像データを縮小して、表示領域の解像度に合わせて特定の領域を拡大表示する」
ようにしているといえ、よってこの点では両者に違いはない。
　
（２）一致点および相違点
　以上の対比結果をまとめると、本願発明と引用発明との一致点、相違点は次のとおりである。
　
［一致点］
　表示装置で表示する表示画像の画像データであって、画像変換手段により表示画像に変換される画像データを生成する表示画像生成装置において、
　入力した表示対象画像の画像データに基づき、表示手段が有する解像度に応じた画像データを生成する生成手段と、
　前記表示画像の拡大要求に応じ、前記生成手段に、前記表示対象画像の画像データにおける要求された拡大倍率に対応する大きさの表示領域の画像データを縮小して生成させる拡大制御手段とを備え、
　前記生成手段により前記被写体画像の画像データを縮小して表示領域の解像度に合わせた後、前記表示画像の一部である特定の領域を拡大表示する際、前記拡大制御手段により前記被写体画像の画像データの特定の領域に対応する画像データを縮小して、表示領域の解像度に合わせて特定の領域を拡大表示することを特徴とする表示画像生成装置。
　
［相違点］
　表示装置が、本願発明では投影型の表示装置である（これに伴い本願発明の画像データは「画像変換手段により投影光に変換される」ものであり、本願発明は画像データを投影光に変換する画像変換手段を有する。）のに対し、引用発明では大型ビデオモニタなどの表示装置であって、特に投影型の表示装置ではない（これに伴い引用発明の画像データは「画像変換手段により投影光に変換される」ものでなく、画像データを投影光に変換する画像変換手段を有しない。）ものであり、
　生成する画像データが応じる解像度である「表示手段が有する解像度」が、本願発明では「前記画像変換手段が有する解像度」であることに対して、引用発明では「表示装置１００の解像度」であり、
　拡大要求される表示画像が、本願発明では、「前記スクリーンに投影された表示画像」であることに対して、引用発明では「表示装置１００で表示する表示画像」である点で相違する。
　
４．判断
　引用発明での上記表示対象画像は、引用例の前掲【０００７】段落に記載されるように、ドキュメント資料や書籍などを撮像ヘッド（いわゆる書画カメラ）で撮像したもので、引用発明では、そのような表示対象画像を上記大型ビデオモニタなどの表示装置に表示するというのであるから、例えばプレゼンテーションや会議等での資料の提示を前提に、提示資料の画像を多数の人が見易いように大型の表示装置に表示するものであることが明らかである。
　然るに、本願発明での投影型の表示装置（明細書の記載でいう「プロジェクタ」）は、大型の表示装置として周知のものであって、一般に大型の表示装置が必要なプレゼンテーション等での提示資料の画像の表示にも適宜用いられているのであり〔例えば査定の理由で引用する特開２０００−３３９１３０号公報（その段落【０００２】）等参照〕、また、投影型の表示装置（プロジェクタ）が画像を「投影光に変換」して「スクリーンに投影」して表示するものであることも周知であると認められる。
　そうであるから、引用発明における上記大型ビデオモニタなどの表示装置を、周知の投影型の表示装置とすることは、当業者が容易に想到できることである。そして、そのようにすることにより、画像データを投影光に変換する画像変換手段を有するようにし、画像データを「画像変換手段により投影光に変換される」ものとし、生成する画像データが応じる解像度である「表示手段が有する解像度」を「前記画像変換手段が有する解像度」とし、拡大要求される表示画像を「前記スクリーンに投影された表示画像」とするのは自然であるから、引用発明は、画像データを投影光に変換する画像変換手段を有し、画像データは「画像変換手段により投影光に変換される」ものとなり、生成する画像データが応じる解像度である「表示手段が有する解像度」が「前記画像変換手段が有する解像度」となり、拡大要求される表示画像が、「前記スクリーンに投影された表示画像」となる。
　そうであるから、本願発明の相違点に係る上記構成は、引用発明と周知の技術的事項に基づいて、当業者が容易に想到できることといえる。
　そして、そのような構成とすれば、本願発明の効果を奏することも当業者が容易に予測できることといえる。
　したがって、本願発明は引用発明と周知の技術的事項に基づいて、当業者が容易に発明をすることができたものである。
　
５．むすび
　以上のとおりであるから、本願の請求項３に係る発明は、引用例に記載された発明および上記周知の技術的事項に基づいて当業者が容易に発明をすることができたものであり、したがって特許法第２９条第２項の規定により特許を受けることができない。
　それ故、本願の請求項１，２、および請求項４，５に係る各発明について検討するまでもなく、本願は拒絶すべきものである。
　よって、結論のとおり審決する。